【事件の表示】
　特許第３３３５１３０号「液晶表示装置」の請求項１ないし９に係る特許に対する特許異議の申立てについて、次のとおり決定する。
【結　論】
　訂正を認める。
　特許第３３３５１３０号の請求項１ないし７に係る特許を維持する。
【理　由】
１．手続の経緯
　特許第３３３５１３０号の発明は、平成１０年１０月１６日（優先権主張：平成１０年１月２６日、平成１０年７月７日、平成１０年８月５日）の出願であって、平成１４年８月２日にその特許の設定の登録がなされ、その後、斉藤忠、広瀬祥次、葛城範子及び土田勝昭により特許異議の申立がなされ、平成１５年６月１２日付けで取消理由通知がなされ、その指定期間内の平成１５年８月２２日付けで訂正請求がなされ、訂正拒絶理由通知がなされ、その後、再度取消理由通知がなされ、平成１５年１２月２２日付けで訂正請求がなされると共に、平成１５年８月２２日付け訂正請求が取り下げられたものである。
　
２．訂正の適否についての判断
２−１．訂正事項
ａ．特許明細書の特許請求の範囲の請求項１を
「【請求項１】液晶層を挟んで互いに対向して配置される一対の基板のうちの一方側の基板上には、外光を反射する
反射電極
透明電極
　
前記反射電極は、凹凸形状をした樹脂の凹凸間を該樹脂と同じ樹脂材料で埋めた凹凸形状の絶縁膜上に形成され、
反射電極
  
前記他方側の基板上の前記透明電極に対応する領域は、カラーフィルター層が形成された領域により構成され
と訂正する。
ｂ．同請求項２〜７を
「【請求項２】前記他方側の基板上の前記
反射電極
１
【請求項３】前記他方側の基板上の前記
反射電極
２
【請求項４】前記カラーフィルター層は、青、赤、緑の３種類からなり、前記他方側の基板上の前記
反射電極
１
【請求項５】前記液晶層は、負の誘電異方性を示す液晶材料からなり、前記対向して配置される一対の基板の両外側には、１／４波長板と偏光板とがそれぞれ配置されていることを特徴とする請求項１乃至
４
【請求項６】少なくとも前記カラーフィルター層が形成されていない領域には、光透過性の平坦化膜が形成されていることを特徴とする請求項１乃至
５
【請求項７】前記
反射電極
透明電極
６
と訂正する。
ｃ．請求項８・９を削除する。
ｄ．明細書の段落【００１６】を
「本発明の液晶表示装置は、液晶層を挟んで互いに対向して配置される一対のうちの一方の基板上には、外光を反射する
反射電極
透明電極
前記反射電極は、凹凸形状をした樹脂の凹凸間を該樹脂と同じ樹脂材料で埋めた凹凸形状の絶縁膜上に形成され、
反射電極
と訂正する。
ｅ．明細書の段落【００１７】を
「なお、このとき、前記他方側の基板上の前記
透明電極
と訂正する。
ｆ．明細書の段落【００１８】を
「また、前記他方側の基板上の前記
反射電極
反射電極
と訂正する。
ｇ．明細書の段落【００１９】を
「また、前記カラーフィルター層は、青、赤、緑の３種類からなり、前記他方側の基板上の前記
反射電極
と訂正する。
ｈ．明細書の段落【００２１】を削除する。
ｉ．明細書の段落【００２３】を
「さらに、このときの
反射電極と透明電極
と訂正する。
　
２−２．訂正の目的の適否、新規事項の有無及び拡張・変更の存否
　上記訂正事項ａないしｃは、訂正前の請求項１に、請求項２及び請求項７の一部を組み合わせ、「透過部」を「透明電極」、「反射部」を「反射電極」と限定し、反射電極の構成をさらに具体的に限定して新たな請求項１とし、請求項３〜９を繰り上げて新たな請求項２〜７とすると共に、訂正前の請求項８，９を削除し、引用する請求項との整合性がとれるように訂正するものである。
　そして、これらは、特許明細書【００７７】の「図１に示すように、・・・この液晶層５に電圧を印加するための画素電極３、８は２種類の材料からなり、３はＡｌＷ合金を用いた反射電極とし、８はＩＴＯを用いた透明電極とした。」、【００７８】の「また、図中の１１Ａ、１１Ｂ、１１Ｃは、それぞれＲ、Ｇ、Ｂのカラーフィルター層であり、透明電極８の領域とは全領域にオーバーラップしているが、反射電極３の領域に対しては反射電極３の全面積に対して８７．５％の割合でオーバーラップするようにストライプ状で形成した（図１１参照、Ｓｒ＝０．１２５）。なお、斜線部Ｂは、反射電極３の領域においてカラーフィルター層１１を形成していない領域を示している。」、【００８９】の「図３および図４に示すように、本発明の実施の形態１と異なる構成は、反射電極３を凹凸の形状をした樹脂１２上に形成したことである。・・・」、【００９０】の「・・・凹凸の形状をした樹脂１２上に形成している絶縁膜１３は、凹凸の形状をした樹脂１２と同じ樹脂材料を用いており、凹凸の形状をした樹脂１２の凹凸の間を埋めて鏡面反射成分をなくす役割と、反射電極３であるＡｌ（アルミ）と透明電極８との電食を防ぐ役割とを兼ねている。」の記載及び図４の記載に基づくものであるから、明細書に記載された事項の範囲内でなされた訂正であり、特許請求の範囲の減縮、明りょうでない記載の釈明を目的とするものに該当し、実質的に特許請求の範囲を拡張又は変更するものではない。
　また、訂正事項ｄないしｉは、上記特許請求の範囲の訂正に伴って、発明の詳細な説明の記載を訂正後の特許請求の範囲との整合性がとれるように訂正するものであるから、明りょうでない記載の釈明に該当し、実質的に特許請求の範囲を拡張又は変更するものではない。
　
２−３．むすび
　以上のとおりであるから、上記訂正は、特許法第１２０条の４第２項及び同条第３項で準用する第１２６条第２、３項の規定に適合するので、当該訂正を認める。
　
３．特許異議申立てについて
３−１．特許異議申立人の主張の概要
（１）申立人斉藤忠は、下記の甲第１〜４号証を提出し、
（１−１）本件の請求項１、２及び７〜９に係る発明は、甲第１号証に記載された発明（先願発明）と同一であるから、特許法第２９条の２の規定により特許を受けることができない、
（１−２）請求項１、２及び５〜８に係る発明は、甲第２乃至４号証に記載された発明に基づいて当業者が容易に発明をすることができたものであるから、特許法第２９条第２項の規定により特許を受けることができない、旨主張する。
甲第１号証：特願平９−３５３６０４号の願書に最初に添付した明細書および図面（特開平１１−１８３８９２号公報参照、以下、「先願明細書」という。）
甲第２号証：再公表特許公報ＷＯ９７／０４３５０号（以下、「刊行物１」という。）
甲第３号証：特開平７−２１８９２３号公報（以下、「刊行物２」という。）
甲第４号証：特開平１０−１４２６２１号公報（以下、「刊行物３」という。）
　
（２）申立人広瀬祥次は、下記の甲第１〜４号証を提出し、請求項１〜９に係る発明は、甲第１〜４号証に記載された発明に基づいて当業者が容易に発明をすることができたものであるから、特許法第２９条第２項の規定により特許を受けることができない、旨主張する。
甲第１号証：特開平７−３３３５９８号公報（以下、「刊行物４」という。）
甲第２号証：特開平８−２８６１７８号公報（以下、「刊行物５」という。）
甲第３号証：特開平８−１２２７６２号公報（以下、「刊行物６」という。）
甲第４号証：特開昭５５−７４５１６号公報（以下、「刊行物７」という。）
　
（３）申立人葛城範子は、下記の甲第１〜３号証を提出し、
（３−１）請求項１〜８に係る発明は、甲第１〜３号証に記載された発明に基づいて当業者が容易に発明をすることができたものであるから、特許法第２９条第２項の規定により特許を受けることができない、
甲第１号証：特開平７−３１８９２９号公報（以下、「刊行物８」という。）
甲第２号証：特開平８−２８６１７８号公報（上記「刊行物５」と同じ。）
甲第３号証：特開昭６１−２３０１０１号公報（以下、「刊行物９」という。）（取消理由の刊行物５）
（３−２）請求項４又は５に記載された、カラーフィルター層が形成されていない領域の面積比として規定された数値範囲の下限値である０．０５について具体的な実施の形態が示されておらず、数値の臨界的意義についての記載もないから、本件出願は、特許法第３６条第４項、第６項第２号の規定により特許を受けることができない、旨主張する。
　
（４）申立人土田勝昭は、下記の甲第１〜３号証を提出し、
（４−１）請求項１〜９に係る発明は、甲第１〜３号証に記載された発明に基づいて当業者が容易に発明をすることができたものであるから、特許法第２９条第２項の規定により特許を受けることができない、
甲第１号証：特開平７−３１８９２９号公報（上記「刊行物８」と同じ。）
甲第２号証：特開平８−２８６１７８号公報（上記「刊行物５」と同じ。）
甲第３号証：特開平１０−１２３３１２号公報（以下、「刊行物１０」という。）
（４−２）請求項１〜９に係る発明は、発明の効果が得られることが明示されていない構成要件を含む不当に広い範囲のものであるから、特許を受けようとする発明が発明の詳細な説明に記載したものであり、特許を受けようとする発明が明確であるという、特許法第３６条第６項の規定の要件を満たしていない、旨主張する。
　
４．本件発明
　本件の請求項１〜７に係る発明は、訂正された特許明細書の特許請求の範囲の請求項１〜７に記載された次の事項により特定されるとおりのものである。
「【請求項１】液晶層を挟んで互いに対向して配置される一対の基板のうちの一方側の基板上には、外光を反射する反射電極と背面光源からの光を透過する透明電極とを１画素内に構成する画素電極が形成され、該一対の基板のうちの他方側の基板上には、カラーフィルターが形成されてなる液晶表示装置において、
　前記反射電極は、凹凸形状をした樹脂の凹凸間を該樹脂と同じ樹脂材料で埋めた凹凸形状の絶縁膜上に形成され、
　前記他方側の基板上の前記反射電極に対応する領域は、カラーフィルター層が形成された領域とカラーフィルター層が形成されていない領域とにより構成され、
  前記他方側の基板上の前記透明電極に対応する領域は、カラーフィルター層が形成された領域により構成されていることを特徴とする液晶表示装置。
【請求項２】前記他方側の基板上の前記反射電極に対応する領域のうち、カラーフィルター層が形成された領域の面積とカラーフィルター層が形成されていない領域の面積との比率が、各画素領域において同じであることを特徴とする請求項１に記載の液晶表示装置。
【請求項３】前記他方側の基板上の前記反射電極に対応する領域のうち、前記カラーフィルター層が形成されていない領域の面積比が、０．０５以上０．２以下であることを特徴とする請求項２に記載の液晶表示装置。
【請求項４】前記カラーフィルター層は、青、赤、緑の３種類からなり、前記他方側の基板上の前記反射電極に対応する領域のうち、前記カラーフィルター層が形成されていない領域の面積比が、該青のカラーフィルター層を形成した領域では０．０５以上０．２以下であり、該赤のカラーフィルター層を形成した領域では０．０５以上０．３８以下であり、該緑のカラーフィルター層を形成した領域では０．０５以上０．５以下であることを特徴とする請求項１に記載の液晶表示装置。
【請求項５】前記液晶層は、負の誘電異方性を示す液晶材料からなり、前記対向して配置される一対の基板の両外側には、１／４波長板と偏光板とがそれぞれ配置されていることを特徴とする請求項１乃至４に記載の液晶表示装置。
【請求項６】少なくとも前記カラーフィルター層が形成されていない領域には、光透過性の平坦化膜が形成されていることを特徴とする請求項１乃至５記載の液晶表示装置。
【請求項７】前記反射電極と透明電極とを１画素内に構成する画素電極は、コンタクトホールを介してスイッチング素子と接続されてなり、該コンタクトホールに対応する前記他方側の基板上の領域には、カラーフィルター層が形成されていることを特徴とする請求項１乃至６に記載の液晶表示装置。」
（以下、それぞれ「本件発明１」ないし「本件発明７」という。）
　
５．取消理由通知
　平成１５年６月１２日付け取消理由通知の概要は以下のとおりである。
１）本件の請求項１、２、７〜９に係る発明は、斉藤忠の提出した特許異議申立書第１０頁４行〜第１１頁２７行に記載された理由により、その出願の日前の特許出願であって、その出願後に出願公開がされた下記の特許出願の願書に最初に添付された明細書又は図面（以下、「先願明細書」という。）に記載された発明と同一であり、しかも、この出願の発明者がその出願前の特許出願に係る上記の発明をした者と同一ではなく、またこの出願の時において、その出願人が上記特許出願の出願人と同一でもないので、特許法第２９条の２の規定により特許を受けることができない。
　　　　　記
特願平９−３５３６０４号（特開平１１−１８３８９２号公報参照）
　上記先願明細書には、斉藤忠の提出した特許異議申立書第７頁７行〜８頁１１行に記載された事項が記載されている。
２）本件の請求項１〜９に係る発明は、その出願前日本国内または外国において頒布された下記の刊行物に記載された発明に基づいて、その出願前にその発明の属する技術の分野における通常の知識を有する者が容易に発明をすることができたものであるから、特許法第２９条第２項の規定により特許を受けることができない。なお、詳細な理由は、主として、斉藤忠の提出した特許異議申立書第１１頁末行〜１４頁２６行の記載を参照されたい。ここで、甲第２号証〜甲第４号証は刊行物１〜刊行物３と読み替える。
　　　　　記
刊行物１：再公表特許公報ＷＯ９７／０４３５０
刊行物２：特開平７−２１８９２３号公報
刊行物３：特開平１０−１４２６２１号公報
（上記刊行物１〜３には、斉藤忠の提出した特許異議申立書第８頁１２行〜１０頁３行に記載された事項が記載されている。）
刊行物４：特開平７−３３３５９８号公報
（半透過型のカラー液晶表示装置において、カラーフィルターを用いると表示が暗くなることが記載されている。）
刊行物５：特開昭６１−２３０１０１号公報
（カラーフィルタの透明部の面積を着色部の面積の１０〜５０％にすることなどが記載されている。）
　
６．刊行物等
（１）上記先願明細書には、
「【請求項１】対向配置された前後一対の基板と、その一方の基板の内面に設けられた複数の第１の電極と、他方の基板の内面に設けられた少なくとも１つの第２の電極と、前記複数の第１の電極と前記第２の電極とが互いに対向する複数の画素領域にそれぞれ対応させて、前側基板の内面に設けられた透過波長帯域が異なる複数の色の着色膜と、前記一対の基板間に設けられた液晶層と、背面側に設けられた半透過反射板とを備え、かつ、前記複数の色の着色膜にそれぞれ、前記画素領域内に部分的に対応させて非着色光を出射させるための開口が設けられるとともに、後側基板の内面に、前記着色膜の開口に対向する反射膜が設けられていることを特徴とする液晶表示素子。
【請求項２】前記第１の電極はマトリックス状に配列する複数の画素電極であり、前記第２の電極は前記複数の画素電極に対向する対向電極であり、・・・請求項１に記載の液晶表示素子。
【請求項３】前記複数の画素電極が、前記反射膜で形成された光反射領域と、透明導電膜で形成された光透過領域とからなっていることを特徴とする請求項２に記載の液晶表示素子。」（特許請求の範囲）
「【００１１】この発明は、外光を利用して反射型表示を行なうときは明るいカラー画像を表示し、バックライトの光を利用して透過型表示を行なうときはコントラストの良いカラー画像を表示することができる２ウエイ型の液晶表示素子を提供することを目的としたものである。
【００４２】この実施例では、各色のカラーフィルタ１４Ｒ，１４Ｇ，１４Ｂを、その中央領域に画素領域Ａの中央部に対応する縦長矩形状の開口１５を設けた形状に形成するとともに、これらのカラーフィルタ１４Ｒ，１４Ｇ，１４Ｂを外形を、その外周縁部が前記画素領域Ａの外周縁よりも外側に張出す大きさに形成している。
【００４３】したがって、この実施例では、前記カラーフィルタ１４Ｒ，１４Ｇ，１４Ｂの開口１５以外の部分が対応する領域、つまり画素領域Ａの周囲領域と、隣り合う画素領域Ａの間の領域（以下、画素間領域という）が着色光出射領域ａとなっており、前記カラーフィルタ１４Ｒ，１４Ｇ，１４Ｂの開口１５が対応する領域、つまり画素領域Ａの中央領域が非着色光出射領域ｂとなっている。
【００４５】また、後側基板２の内面に設けられた前記各画素電極３は、ＩＴＯ等の透明導電膜からなっており、その中央領域には、前記カラーフィルタ１４Ｒ，１４Ｇ，１４Ｂの開口１５に対向する縦長矩形状の反射膜３ｂが前記画素電極上に設けられている。すなわち、各画素領域Ａは、各画素電極３上に前記反射膜３ｂが形成された光反射領域と、前記反射膜３ｂが形成されていない他の光透過可能な光透過領域３ａとからなっている。前記反射膜３ｂは、アルミニウムまたはクロム等の光反射率の金属膜からなっており、その表面は、酸素プラズマ処理等により粗面化された散乱反射面となっている。
【００４６】この液晶表示素子は、充分な明るさの外光（自然光や室内照明光等）が得られるときは素子前方から入射する外光を背面側の半透過反射板２３で反射させて外光を利用する反射型表示を行ない、充分な明るさの外光が得られないときは、液晶表示素子の背後に配置されたバックライト２４の光を利用する透過型表示を行なう２ウエイ型のものである。
【００５３】このため、反射型表示においては、各画素領域Ａから、カラーフィルタ１４Ｒ，１４Ｇ，１４Ｂによりその吸収波長帯域の光を吸収されて半透過反射板２３で反射された着色光と、カラーフィルタ１４Ｒ，１４Ｇ，１４Ｂによる吸収を受けることなく前記反射膜３ｂで反射された高輝度の非着色光とが素子前方に出射し、この着色光と非着色光とにより高輝度のカラー画素が表示される。」
と記載されている。
　また、図１および図２から、一方の基板に設けられた反射膜３ｂに対応する他方の基板上の領域には、カラーフィルタ１４Ｒ、１４Ｇ、１４Ｂが形成されている領域とカラーフィルタが形成されていない領域があるとともに、一方の基板に設けられた光透過領域３ａに対応する他方の基板上の領域には、カラーフィルタ１４Ｒ、１４Ｇ、１４Ｂが形成されていることがみてとれる。
　上記によれば、先願明細書には、
「対向配置された前後一対の基板と、その一方の基板の内面に設けられ、反射膜で形成された光反射領域と、透明導電膜で形成された光透過領域とからなっている画素電極と、他方の基板の内面に設けられた対向電極と、前側他方の基板の内面に設けられた複数のカラーフィルタと、前記一対の基板間に設けられた液晶層とからなる液晶表示装置において、前記複数のカラーフィルタに開口が設けられ、前記反射膜は、金属膜からなり、その表面は粗面化された散乱反射面となっており、前記他方の基板上の前記反射膜に対応する領域には、カラーフィルタが形成されている領域とカラーフィルタが形成されていない領域があり、他方の基板上の前記光透過領域に対応する領域には、カラーフィルタが形成されている液晶表示素子。」の発明（以下、「先願発明」という。）が記載されている。
　
（２）刊行物１：再公表特許公報ＷＯ９７／０４３５０号には、
「１．対向する内面に電極を備えマトリクス状のドット群を形成した一対の基板と、前記基板間に挟持された液晶と、少なくとも２色のカラーフィルタと、少なくとも１枚の偏光板と反射板を有する反射型カラー液晶装置。
・・・
６．請求項１乃至請求項３のいずれかに記載の反射型カラー液晶装置において、前記カラーフィルタがドット内の光変調可能な領域の一部にのみ設けられていることを特徴とする反射型カラー液晶装置。」（特許請求の範囲）、
「第１５図は本発明の請求項６記載の発明に係る反射型カラー液晶装置の構造の要部を示す図である。・・・１５０１は上側偏光板、１５０２は素子基板、１５０３は液晶、１５０４は対向基板、１５０５は下側偏光板、１５０６は散乱反射板であり、対向基板１５０４上には対向電極・・・１５１１とカラーフィルタ１５１０を設け、素子基板１５０２上には・・・ＭＩＭ素子１５０８、画素電極１５０９を設けた。・・・対向電極１５１１と画素電極１５０９は透明なＩＴＯで形成し、・・・」（３４頁末行〜３５頁１０行）、
「第５６図は本発明の請求項２１記載の発明に係る反射型カラー液晶表示装置の要部を示す図である。・・・散乱反射板を兼ねた画素電極は、金属アルミニウムのスパッタ膜の表面に機械的、化学的手法により凹凸を付けたものを用いた。」（５８頁８〜１４行）との事項が記載されている。 
　
（３）刊行物２：特開平７−２１８９２３号公報には、下記事項が記載されている。
「【請求項１】光反射性の金属電極を有する背面電極板と、この背面電極板に対向して配置されかつ透明電極を有する観察者側電極板と、これ等両電極板間に封入された液晶物質とを備え、上記金属電極と透明電極との間に電圧を印加して液晶物質を駆動させ画面表示する反射型液晶表示装置において、
　光反射性の上記金属電極が、銀薄膜とこの銀薄膜と基板の間に介在してこれ等を互いに接着させる導電性薄膜とから成ることを特徴とする反射型液晶表示装置。」（特許請求の範囲）
「【００３１】他方、上記観察者側電極板の基板としては、ガラス基板、セラミック基板、プラスチックフィルム、プラスチックボード等の透明な基板が適用でき、透明電極としてはＩＴＯやネサ膜等の透明導電膜が適用できる。また、この観察者側電極板に光散乱層を設けて表示光を散乱させ表示画面の視野角を拡大させたり、カラーフィルター層を設けて表示光を着色してカラー表示することも可能である。光散乱層は上記基板の液晶物質と接触する内側あるいは偏光フィルムと接触する外側のいずれに設けてもよい。・・・
【００４３】尚、上記銀薄膜１５の中央部に設けられた穴開きパターン１５ａは、照明の暗い室内で液晶表示装置を駆動する際に点灯される上記ランプの光線を画素部位に誘導するものである。また、この液晶表示装置も単純マトリクス駆動方式のもので、上記銀薄膜１５を走査側電極とし、透明電極２２を信号側電極として利用するものである。」
　
（４）刊行物３：特開平１０−１４２６２１号公報には、下記事項が記載されている。
「【請求項１】第１の基板の一主面上に矩形島状の反射画素電極がＸＹマトリックス状に配置されるように形成され、第２の基板の一主面上に光透過領域で区切られた矩形島状の１又は複数種の色領域がＸＹマトリックス状に配置されるように形成され、第１の基板と第２の基板との間に液晶層が挟持された反射型液晶表示装置であって、
　表示面の法線方向から見たとき、前記色領域が前記反射画素電極の領域内に含まれ、前記反射画素電極と前記色領域との左辺同士、右辺同士、上辺同士、および下辺同士が所定の距離を有することを特徴とする反射型液晶表示装置。」（特許請求の範囲）
「【０００６】本発明は上記のような従来の問題を解決し、カラーフィルタの貼り合わせ誤差による色特性のばらつきを低減し、かつ、明るい表示を得ることができる反射型液晶表示装置を提供することを目的とする。
【０００９】また、前記反射画素電極が非線形素子、例えば薄膜トランジスタに電気接続されていることが好ましい。前記色領域は、通常は赤、緑、青の３原色からなることが好ましい。また、前記反射画素電極はアルミニウムまたは銀で形成されていることが好ましい。」
　
（５）刊行物４：特開平７−３３３５９８号公報には、下記事項が記載されている。
「【００１５】また、アクティブマトリックス型液晶セルを用いる液晶表示装置にカラー画像を表示させる場合、従来は、前記液晶セルの一方の基板に、複数の色、例えば赤、緑、青の三色のカラーフィルタを各画素電極に対応させて設けているが、図１７に示した反射型表示機能と透過型表示機能とを有する液晶表示装置では、液晶セルにカラーフィルタを設けると、表示がさらに暗くなってしまうため、カラー画像の表示を実現することがほとんど不可能であった。
【００２０】本発明は、外光を利用する反射型表示機能と光源からの光を利用する透過型表示機能とを有し、かつ液晶セルに、２端子の非線形抵抗素子を能動素子とするアクティブマトリックス型液晶セルを用いた液晶表示装置として、カラーフィルタを用いずに光を着色して明るいカラー画像を表示することができ、しかも、外光を利用する反射型表示の際の偏光板および液晶セルの基板での光吸収による光量ロスを少なくして、反射型表示での表示を十分明るくすることができるものを提供することを目的としたものである。
【００２９】すなわち、この液晶表示装置は、反射型表示の際には、液晶セルの液晶層の複屈折効果と第１の偏光板の偏光および検光作用とを利用して光を着色し、透過型表示の際には、前記液晶セルの液晶層の複屈折効果と第２の偏光板の偏光作用および第１の偏光板の検光作用とを利用して光を着色するものである。
【００４３】また、上記各画素電極１３は、半透過反射膜Ｍを兼ねており、その反射面はほぼ鏡面となっている。・・・
【００４４】この半透過反射膜Ｍ（画素電極１３）は、ＡlまたはＡl系合金等の金属膜で形成されるか、あるいは、ＩＴＯ膜等の透明導電膜と金属膜との積層膜とされている。
【００６１】さらに、図７および図８は、半透過反射膜Ｍの第４の例を示すその一部分の断面図および平面図であり、この半透過反射膜Ｍは、微小な開口ｍを点在させて設けた光不透過金属膜１３ｃからなっている。」
　
（６）刊行物５：特開平８−２８６１７８号公報には、下記事項が記載されている。
「【００２９】 本発明の目的は、上記課題を解決して、カラーフィルターを有する液晶表示装置においても透過率の向上をおこない、明るい表示性能を有する液晶表示装置を提供することにある。
【００３３】本発明の液晶表示装置においては、第１の基板上に設ける信号電極と、第２の基板上に設ける対向電極と、第１の基板と第２の基板との間に封入する液晶とを備え、信号電極と対向電極との交点に複数の画素部を有し、各画素部に電圧を印加し液晶の光学特性変化を利用し表示を行う液晶表示装置の各画素部に設けるカラーフィルターは複数の島状のカラーフィルターを有し、複数の島状のカラーフィルターの周囲には、光の透過する開口部を有し、さらに第１の基板あるいは第２の基板のいずれかに反射部を有することを特徴とする。
【００７３】本発明の第２の実施例に示す液晶表示装置は、表示画素部１９の領域のカラーフィルター１１、１２、１３は、複数個の島状の構造をしている。そのため、たとえば１個の表示画素部１９の領域の赤のカラーフィルター１１には、ブラックマトリクス７を形成しない領域として開口部１４を設けている。そのため、開口部１４では、大きな光を透過できる。」
　
（７）刊行物６：特開平８−１２２７６２号公報には、下記事項が記載されている。
「【０００７】
【課題を解決するための手段】本発明は、電極を有する第１の基板と、電極を有する第２の基板の２枚の基板のうち少なくとも１枚の基板にカラーフィルタを設け、前記基板を前記電極が相対向するように配置し、その間に液晶組成物を挟持している液晶表示素子において、前記カラーフィルタに用いる色が３原色のうちの１つとその補色および無彩色の３色からなることを特徴とする液晶表示素子を得るものである。
【００１２】このように、３原色の１つの色フィルタとその補色フィルタの組み合わせで白色表示が得られるから、これと無彩色フィルタ（グレーフィルタまたはフィルタなしで可）と組み合わせて、より明るい白色表示ができ、しかも、最低限３原色の１つ（例えば赤）とその補色（例えばシアン）およびその中間色のカラー表示が可能であり、鮮明で明るい白黒表示を主体に、カラー表示のできる液晶表示素子が得られる。」
　
（８）刊行物７：特開昭５５−７４５１６号公報には、基板間に負の誘電異方性を有するネマチック液晶層が配置された液晶ライトバルブ式投写型画像表示装置が記載されている。
　
（９）刊行物８：特開平７−３１８９２９号公報には、複屈折効果を利用してカラー画像を表示する反射型及び透過型として用いられる液晶表示装置に関して、下記事項が記載されている。
「【請求項５】液晶セルは、表面側基板の内面に複数の画素電極とこれら各画素電極にそれぞれ対応する複数の能動素子を配設し、裏面側基板の内面に前記各画素電極と対向する対向電極を設けたアクティブマトリックス型セルであり、前記対向電極が半透過反射膜を兼ねていることを特徴とする請求項３に記載の液晶表示装置。」（特許請求の範囲）、
「【００５８】この半透過反射膜Ｍは、前記金属膜１３ｃの膜部分（開口ｍ以外の部分）に入射した光を金属面で反射させ、開口ｍ部分に入射した光を透過させるものであり、図７に実線矢印で示した表面側からの入射光も、また破線矢印で示した裏面側からの入射光も、ある反射率と透過率で反射および透過される。」
　
　刊行物９：特開昭６１−２３０１０１号公報には、透明画素電極に対応する領域にカラーフィルタが設けられた液晶ディスプレーにおいて、透明部の面積を着色部（パターン）の１０〜５０％にすることにより明るい表示を得ることが記載されている。
　
　刊行物１０：特開平１０−１２３３１２号公報には、カラー液晶表示装置に用いるカラーフィルターにおいて、ひとつの透明着色画素内における透明無着色部と透明着色部との合計画像面積に占める透明無着色部の面積比率が３０％以下であることが記載されている。
　
７．対比・判断
　異議申立及び該異議申立の一部を引用してなされた取消理由について、以下条文毎にまとめて検討する。
＜特許法第２９条の２について＞
［本件発明１について］
　本件発明１と先願発明とを対比するに、先願発明の「反射膜で形成された反射領域」、「透明導電膜で形成された光透過領域」、「着色膜」は、それぞれ、本件発明１の「反射電極」、「透明電極」、「カラーフィルター」に相当する。したがって、両者は、少なくとも下記の点で相違する。
　相違点；本件発明１では、反射電極は、凹凸形状をした樹脂の凹凸間を該樹脂と同じ樹脂材料で埋めた凹凸形状の絶縁膜上に形成されているのに対して、先願発明の反射膜は、金属膜からなっており、その表面は粗面化された散乱反射面となっている点。
　
　上記相違点について検討するに、反射電極の表面が凹凸に形成されている点（本件発明１では「凹凸形状」、先願発明では「粗面」）で両者は共通するものの、先願明細書には、透明導電膜の中央領域に、開口に対向する縦長矩形状の反射膜が設けられていることが記載され（前掲【００４５】参照。）ている程度で、「凹凸形状をした樹脂の凹凸間を該樹脂と同じ樹脂材料で埋めた凹凸形状の絶縁膜上に形成されている」ことは記載も示唆もない。そして、本件発明１は、この点により、明細書の【００３３】及び【００９０】に記載された作用効果を奏するものであるから、上記相違点が課題解決のための具体化手段における微差とはいえない。
　したがって、本件発明１は先願明細書に記載された発明と同一ではない。
　
［本件発明２〜８について］
　本件発明２〜８は、請求項１又はそれを引用する請求項をさらに引用するものであり、本件発明１の構成要件を全て備えているから、上記本件発明１に対すると同様の理由により先願明細書に記載された発明と同一ではない。
　
＜特許法第２９条第２項について＞
［本件発明１について］
　刊行物１には、反射型カラー液晶表示装置において、透明な画素電極領域に対するカラーフィルタの面積率を１５％以上、４５％以下とすること、及び散乱反射板を兼ねた金属アルミニウムからなる画素電極の表面に凹凸を付けた点が、
刊行物２には、反射型の液晶表示装置において、バックライトの光を誘導するための開口を設けた半透過膜を電極として用いることが、
刊行物４及び８には、カラーフィルタを用いない反射型、透過型兼用の液晶表示装置において、バックライトの光を誘導する開口を設けた半透過反射膜を画素電極として用いることが、
刊行物３、５及び６には、反射型液晶表示装置において、明るい表示を得ることを目的として、カラーフィルタの面積を小さくすることが、
刊行物７には、液晶表示装置に誘電異方性が負の液晶を用いることが、
刊行物９には、透明部の面積を着色部の面積の１０〜５０％にしたカラーフィルタが、又、刊行物１０には、ひとつの透明着色画素内における透明無着色部と透明着色部との合計画像面積に占める透明無着色部の面積比率を３０％以下としたカラーフィルタが、
それぞれ記載されている。
　そこで、本件発明１と上記刊行物１〜１０に記載のものとを対比するに、上記各刊行物には、本件発明１の構成の一部がそれぞれ示されている程度であり、しかも、いずれの刊行物にも、本件発明１の構成要件である「反射電極と透明電極とを１画素内に構成する画素電極が形成されたものにおいて、前記反射電極は、凹凸形状をした樹脂の凹凸間を該樹脂と同じ樹脂材料で埋めた凹凸形状の絶縁膜上に形成され」る点（以下、「本件発明の構成」という。）は記載されておらず、示唆もされてない。
　そして、本件発明１は、上記本件発明の構成を備えることにより、明細書の【００３３】及び【００９０】に記載された格別の作用効果を奏するものと認められる。
　したがって、本件発明１は、異議申立人斉藤忠が周知技術として提出した参考資料１〜６をみても、各異議申立人が提出した上記各刊行物に記載された発明ではなく、また、上記各刊行物に記載された発明に基づいて当業者が容易に発明をすることができたものでもない。
　
［本件発明２〜８について］
　本件発明２〜８は、請求項１又はそれを引用する請求項をさらに引用するものであり、本件発明１の構成要件を全て備えているから、上記本件発明１に対すると同様の理由により、上記各刊行物に記載された発明ではなく、また、上記各刊行物に記載された発明に基づいて当業者が容易に発明をすることができたものでもない。
　
＜特許法第３６条について＞
（１）数値範囲の下限値が不明との主張について
　特許異議申立人葛城範子は、請求項４又は５に記載されたカラーフィルタ層が形成されていない領域の面積比として規定された数値範囲の下限値である０．０５について具体的な実施の形態が示されておらず、また、数値の技術的意義についての記載もないから、本件出願は、特許法第３６条第４項、第６項第２号の規定により特許を受けることができない、と主張する。　
　上記主張について検討するに、本件特許明細書の【００２９】には、「なお、このとき、前記他方側の基板上の前記反射部に対応する領域のうち、前記カラーフィルター層が形成されていない領域の面積比を０．０５以上０．２以下の範囲に設定することにより、明るさと色純度に優れたカラー表示を実現することが可能となっている。・・・つまり、カラーフィルター層が形成されていない領域の面積比を０．０５以下にすると、反射表示おける明るさが不足し暗くて見えずらい表示になってしまい、逆にカラーフィルター層が形成されていない領域の面積比を０．２以上にすると、色純度が低下してしまい白色と判別できない淡い色になってしまうからである。」と記載されており、数値範囲の下限値である０．０５についての技術的な意義が明確に記載されている。（なお、特許請求の範囲に記載された数値の臨界的意義については、数値限定のみに特徴を有する場合を除き、必ずしも必須のものではない。）
　また、実施態様には、カラーフィルタ層が形成されていない領域の面積比として「０．０５以上０．２以下の範囲」のものが、実施の形態１及び３に、それぞれ、０．１２５（【００７８】参照。）及び０．２（【００９３】参照。）として具体的に記載されており、これらは請求項４（訂正後の請求項３）に対応するものである。
　同じく、実施の形態４として、「カラーフィルター層が形成されていない領域の面積比を、赤のカラーフィルター層では０．３８、緑のカラーフィルター層では０．５、青のカラーフィルター層では０．２」（【００９８】参照。）として、「０．０５以上０．２以下の範囲」のものが具体的に記載されており、これは請求項５（訂正後の請求項４）に対応するものである。
　したがって、上記主張は理由のないものである。
　
（２）発明が不当に広いとの主張について
　特許異議申立人土田勝昭は、請求項１〜９に係る発明は、発明の効果が得られることが明示されていない構成要件を含む不当に広い範囲のものである（本来、薄膜トランジスタ型の液晶表示装置である。）から、特許を受けようとする発明が発明の詳細な説明に記載したものであり、特許を受けようとする発明が明確であるという、特許法第３６条第６項の規定の要件を満たしていない、旨主張する。
　上記主張について検討するに、本件特許明細書には、「本発明は、・・・液晶表示装置に関する。」（【０００１】）、「本発明者らは、・・・反射型と透過型との両方の機能を合わせ持った液晶表示装置を特許出願により提案している。」（【０００８】参照。）等の記載があるが、薄膜トランジスタ型の液晶表示装置に限定されなければ明細書記載の効果を奏しないと理解されるような記載は格別認められない。
　なお、特許請求の範囲は、訂正明細書のとおりに訂正され、それらはいずれも、発明の詳細な説明に記載された事項であり、特許を受けようとする発明は明確である。
　したがって、上記主張は採用できない。
　
　よって、本件特許は特許法第３６条第４項及び第６項に規定する要件を満たしていない特許出願に対してなされたものではない
　
８．むすび
　以上のとおり、特許異議の申立の理由及び証拠によっては、本件の請求項１ないし７に係る発明の特許を取り消すことはできない。
　また、他に請求項１ないし７に係る特許を取り消すべき理由を発見しない。
　よって、結論のとおり決定する。
【異議決定日】
平成１６年１月２０日（２００４．１．２０）
【訂正の要旨】
審決（決定）の【理由】欄参照。
（５４）【発明の名称】
液晶表示装置
（５７）【特許請求の範囲】
　【請求項１】　液晶層を挟んで互いに対向して配置される一対の基板のうちの一方側の基板上には、外光を反射する
反射電極
透明電極
　
前記反射電極は、凹凸形状をした樹脂の凹凸間を該樹脂と同じ樹脂材料で埋めた凹凸形状の絶縁膜上に形成され、
　前記他方側の基板上の前記
反射電極
、
　
前記他方側の基板上の前記透明電極に対応する領域は、カラーフィルター層が形成された領域により構成され
　【請求項２】　前記他方側の基板上の前記
反射電極
１
　【請求項３】　前記他方側の基板上の前記
反射電極
２
　【請求項４】　前記カラーフィルター層は、青、赤、緑の３種類からなり、前記他方側の基板上の前記
反射電極
１
　【請求項５】　前記液晶層は、負の誘電異方性を示す液晶材料からなり、前記対向して配置される一対の基板の両外側には、１／４波長板と偏光板とがそれぞれ配置されていることを特徴とする請求項１乃至
４
　【請求項６】　少なくとも前記カラーフィルター層が形成されていない領域には、光透過性の平坦化膜が形成されていることを特徴とする請求項１乃至
５
　【請求項７】　前記
反射電極
透明電極
６
【発明の詳細な説明】
　【０００１】
　【発明の属する技術の分野】
　本発明は、ワードプロセッサやパーソナルコンピューターなどのＯＡ機器や、電子手帳などの携帯情報機器、あるいは液晶モニターを備えたカメラ一体型ＶＴＲなどに用いられる液晶表示装置に関する。
　【０００２】
　【従来の技術】
　近年、液晶表示装置は、薄型で低消費電力であるという特徴を生かして、ワードプロセッサやパーソナルコンピューターなどのＯＡ機器や、電子手帳などの携帯情報機器、あるいは液晶モニターを備えたカメラ一体型ＶＴＲなどに広く用いられている。
　【０００３】
　このような液晶表示装置には、画素電極にＩＴＯ（Ｉｎｄｉｕｍ　Ｔｉｎ　Ｏｘｉｄｅ）などの透明導電性薄膜を用いた透過型の液晶表示装置と、画素電極に金属などの反射電極を用いた反射型の液晶表示装置とがある。
　【０００４】
　本来、液晶表示装置はＣＲＴ（ブラウン管）やＥＬ（エレクトロルミネッセンス）などとは異なり、自ら発光する自発光型の表示装置ではないため、透過型の液晶表示装置の場合には、液晶表示装置の背後に蛍光管などの照明装置、所謂バックライトを配置して、そこから入射される光によって表示を行っている。また、反射型の液晶表示装置の場合には、外部からの入射光を反射電極によって反射させることによって表示を行っている。
　【０００５】
　ここで、透過型の液晶表示装置の場合は、上述のようにバックライトを用いて表示を行うために、周囲の明るさにさほど影響されることなく、明るくて高コントラストを有する表示を行うことができるという利点を有しているものの、通常バックライトは液晶表示装置の全消費電力のうち５０％以上を消費することから、消費電力が大きくなってしまうという問題も有している。
　【０００６】
　また、反射型の液晶表示装置の場合は、上述のようにバックライトを使用しないために、消費電力を極めて小さくすることができるという利点を有しているものの、周囲の明るさなどの使用環境あるいは使用条件によって表示の明るさやコントラストが左右されてしまうという問題も有している。
　【０００７】
　【発明が解決しようとする課題】
　このように、反射型の液晶表示装置においては、周囲の明るさなどの使用環境、特に外光が暗い場合には視認性が極端に低下するという欠点を有しており、また、一方の透過型の液晶表示装置においても、これとは逆に外光が非常に明るい場合、例えば晴天下などでの視認性が低下してしまうというような問題を有していた。
　【０００８】
　本発明者らは、こうした問題点を解決するための手段として、反射型と透過型との両方の機能を合わせ持った液晶表示装置を特許出願により提案している。（特願平９−２０１１７６号）
　この特許出願により提案した液晶表示装置は、１つの表示画素に外光を反射する反射部とバックライトからの光を透過する透過部とを作り込むことにより、周囲が真っ暗の場合には、バックライトからの透過部を透過する光を利用して表示を行なう透過型液晶表示装置として、また、外光が暗い場合には、バックライトからの透過部を透過する光と光反射率の比較的高い膜により形成した反射部により反射する光との両方を利用して表示を行う両用型液晶表示装置として、さらに、外光が明るい場合には、光反射率の比較的高い膜により形成した反射部により反射する光を利用して表示を行う反射型液晶表示装置として用いることができるというような構成の反射透過両用型の液晶表示装置である。
　【０００９】
　このような構成の液晶表示装置は、外光の明るさに関わらず、常に視認性が優れた液晶表示装置の提供を可能にしたものであるが、透過型と反射型との両方で明るく色純度の高いカラー表示を実現するためには、以下のような問題が発生してしまう。
　【００１０】
　図１７は、上述した反射透過両用型の液晶表示装置に、従来から用いられてきた一般的なカラーフィルター層２４を配置した場合を示した平面図である。図１７に示すように、カラーフィルター層２４Ａ、２４Ｂ、２４Ｃは、それぞれＲ、Ｇ、Ｂのカラーフィルター層を示しており、反射電極３および透過電極８の全部分にオーバーラップするようにストライプ状に形成されている。
　【００１１】
　このような従来から用いられてきたカラーフィルター層２４を上記反射透過両用型の液晶表示装置に適用した場合には、透過部に対応するカラーフィルター層ではバックライトからの光が透過するのが１回であるのに対し、反射部に対応するカラーフィルター層では外光が入射する際と出射する際との２回透過することから、透過型と反射型との両方で明るく色純度の高いカラー表示を実現することは非常に困難となっていた。
　【００１２】
　これは、通常の透過型の液晶表示装置におけるカラーフィルターの透過率は、視感度補正後で約３０％であるため、これをそのまま反射型の液晶表示装置におけるカラーフィルターとして用いると、透過率は約１７％となり、非常に暗いディスプレイになってしまうからである。
　【００１３】
　また、特開平８−２８６１７８号公報には、明るく色純度の高いカラー表示を実現する液晶表示装置として、１画素内においてカラーフィルターの着色部分を島状に分割し、その周囲に開口部分（着色の無い部分）を形成するような構成が開示されている。
　【００１４】
　しかしながら、この公報にも、透過型液晶表示装置または反射型液晶表示装置におけるカラーフィルターの構成が開示されているだけであり、１つの表示画素に外光を反射する反射部とバックライトからの光を透過する透過部とを作り込んだ液晶表示装置における最適なカラーフィルターの構成、つまり着色部分や開口部分の特徴や配置関係などについては一切開示されておらず、この公報に開示されたカラーフィルター形成技術をそのまま１つの表示画素に反射部と透過部とを作り込んだ液晶表示装置に適用しても、色純度の悪い淡い表示となってしまい、透過部と反射部との両方で明るく色純度の高いカラー表示を可能とするカラーフィルターを実現することは非常に困難である。
　【００１５】
　本発明は、上述したような反射透過両用型の液晶表示装置におけるカラーフィルターの形成に関する問題点に鑑みなされたものであって、その目的とするところは、反射透過両用型の液晶表示装置におけるカラーフィルターを従来の液晶表示装置におけるカラーフィルターと比べてプロセスを増加させることなく形成し、色純度が高く明るいカラー表示を実現した反射透過両用型の液晶表示装置を提供することを目的とするものである。
　【００１６】
　【課題を解決するための手段】
　本発明の液晶表示装置は、液晶層を挟んで互いに対向して配置される一対の基板のうちの一方側の基板上には、外光を反射する
反射電極
透明電極
前記反射電極は、凹凸形状をした樹脂の凹凸間を該樹脂と同じ樹脂材料で埋めた凹凸形状の絶縁膜上に形成され、
反射電極
　【００１７】
　なお、このとき、前記他方側の基板上の前記
透明電極
。
　【００１８】
　また、前記他方側の基板上の前記
反射電極
反射電極
　【００１９】
　また、前記カラーフィルター層は、青、赤、緑の３種類からなり、前記他方側の基板上の前記
反射電極
　【００２０】
　なお、このときの前記液晶層は、負の誘電異方性を示す液晶材料からなり、前記対向して配置される一対の基板の両外側には、１／４波長板と偏光板とがそれぞれ配置されていることが好ましい。
　【００２１】
　【００２２】
　また、このときの少なくとも前記カラーフィルター層が形成されていない領域には、光透過性の平坦化膜が形成されていることが好ましい。
　【００２３】
　さらに、このときの前記
反射電極
透明電極
　【００２４】
　以下、本発明の作用について簡単に説明する。
　【００２５】
　本発明によれば、反射透過両用型の液晶表示装置において、他方側の基板上の反射部に対応する領域に、カラーフィルター層が形成されていない領域を設けていることにより、透過型専用の液晶表示装置に用いられるカラーフィルターと比較して製造プロセスを増加させることがなく、白を表示させて明るさを向上させることができる。これは、透過部と反射部とで別々にカラーフィルター層の膜厚を制御する必要がないからである。また、従来は明るさと色純度の最適化をカラーフィルターの色版で調節しており、顔料の種類や樹脂に分散させる濃度の調節に手間がかかっていたが、本発明によれば、マスクパターンの設計だけで明るさと色純度の最適化を調節することが可能であり、工程の簡略化や設計の自由度を向上させることが可能となる。
　【００２６】
　このように、本発明では、色純度の高いカラーフィルター層を通過した出射光とカラーフィルター層が形成されていない領域を通過した出射光とを混色することにより、反射型表示に必要な明るいカラー表示を実現することが可能となっている。
　【００２７】
　なお、このとき、他方側の基板上の前記透過部に対応する領域には、色純度の高いカラーフィルター層が形成されているため、従来の透過型の液晶表示装置と同様に、色純度の高い表示を行うことが可能となっている。
　【００２８】
　また、前記他方側の基板上の前記反射部に対応する領域のうち、カラーフィルター層が形成された領域の面積とカラーフィルター層が形成されていない領域の面積との比率が、各画素領域において同じであることにより、カラーフィルター層を製造するときに、カラーフィルター層が形成されていない領域の面積の比率が各画素領域毎に一定となるので、各色の露光工程においてその都度マスクを変える必要がなく、ある一色のマスクをその都度ずらし、その位置合わせだけで各色の露光工程を行うことができるため、カラーフィルター層の製造工程を簡略化することが可能となっている。
　【００２９】
　なお、このとき、前記他方側の基板上の前記反射部に対応する領域のうち、前記カラーフィルター層が形成されていない領域の面積比を０．０５以上０．２以下の範囲に設定することにより、明るさと色純度に優れたカラー表示を実現することが可能となっている。例えば、図６および図７に示すように、カラーフィルターを明るくしようとしてカラーフィルター層が形成されていない領域の面積を均等に大きくしていくと、明るくなりはするものの色純度が低下していってしまい、最終的には白色と判別できなくなってしまう。つまり、カラーフィルター層が形成されていない領域の面積比を０．０５以下にすると、反射表示おける明るさが不足し暗くて見えずらい表示になってしまい、逆にカラーフィルター層が形成されていない領域の面積比を０．２以上にすると、色純度が低下してしまい白色と判別できない淡い色になってしまうからである。
　【００３０】
　また、前記カラーフィルター層が、青、赤、緑の３種類からなり、前記他方側の基板上の前記反射部に対応する領域のうち、前記カラーフィルター層が形成されていない領域の面積比が、該青のカラーフィルター層を形成した領域では０．０５以上０．２以下であり、該赤のカラーフィルター層を形成した領域では０．０５以上０．３８以下であり、該緑のカラーフィルター層を形成した領域では０．０５以上０．５以下であることにより、各色毎に明るさと色純度を保つことができ、より明るく色バランスのとれたカラー表示を実現することが可能となっている。これは、各色によって明るさと色純度の最適値が異なるからである。
　【００３１】
　なお、液晶層をノーマリーブラックモードとすることにより、電圧をかけていない状態で黒を表示することになるため、反射型もしくは透過型のみで使用する場合においても、光漏れを無くすことができ、コントラストの低下を防止することが可能となっている。
　【００３２】
　また、液晶層に負の誘電異方性を示す液晶材料を用い、対向して配置される一対の基板の両外側に１／４波長板と偏光板とをそれぞれ配置していることにより、透過部と反射部とで液晶層の厚みを変更することなくコントラストの高い表示を実現することが可能となっている。
　【００３３】
　さらに、反射部を光拡散性を有する凹凸構造により構成していることにより、反射部だけで拡散機能を有することが可能となり、これにより反射部への写り込みを防ぐことができるとともに、ペーパーホワイトの表示を実現することが可能となっている。
　【００３４】
　また、カラーフィルター層が形成されていない領域に、光透過性の平坦化膜を形成していることにより、カラーフィルター基板の液晶層に接している面（対向電極が形成される面）を略平坦化することが可能となっている。したがって、反射部におけるカラーフィルター層が形成された領域とカラーフィルター層が形成されていない領域との液晶層の層厚が等しくなり、これによりリタデーションが等しくなるため、暗状態から明状態に至るまで均一な表示を実現することが可能となっている。なお、このときの平坦化膜を無着色とすることで、層厚だけを調節することが可能となり、光吸収によるロスがカラーフィルター基板で発生しないために光の利用効率の低下を防止することが可能となる。また予め設計されたカラーフィルター層の色再現性に影響を与えることもない。
　【００３５】
　また、画素電極とスイッチング素子とを接続するコンタクトホールに対応する他方側の基板上の領域にカラーフィルター層を形成していることにより、リタデーションの違いによる電気光学特性の不一致に起因する反射領域内における光漏れの発生を目立たなくすることが可能となっている。したがって、コンタクトホール領域周辺で生じる表示不良をなくすことが可能となり、暗状態、階調領域、明状態にわたって、均一な表示を可能にするとともに、より高いコントラストを実現することが可能となっている。
　【００３６】
　ここで、本発明の液晶表示装置におけるカラー表示について、その原理を簡単に説明する。
　【００３７】
　通常、色はＸＹＺ表色系において、以下の（ｘ、ｙ、Ｙ）の３つの変数で表わすことができる。
　　ｘ＝Ｘ／（Ｘ＋Ｙ＋Ｚ）、ｙ＝Ｙ／（Ｘ＋Ｙ＋Ｚ）・・・（１）
　　Ｙ＝∫Ｅ（λ）ｙ（λ）ｄλ・・・（２）
　このとき、上記ｘ、ｙは、色相と彩度を表す変数であり、Ｘ、Ｙ、Ｚは、仮想の色に対する刺激値である。このうち、Ｙは、（２）式に示すように、Ｅ（λ）（波長λにおける光エネルギー（分光スペクトル））とｙ（λ）（Ｙという色に対する人間の眼の分光感度）との関数であり、人間の眼で見た場合の明るさを表している。実際には、基準となる光源に対する比較が必要とされるために、その光源の分光スペクトルをＳ（λ）とした次式が用いられる。
　　Ｙ＝ｋ∫Ｓ（λ）ρ（λ）ｙ（λ）ｄλ・・・（３）
　　ｋ＝１００／∫Ｓ（λ）ｙ（λ）ｄλ、ρ（λ）：分光反射率もしくは分光透過率
　一般に、液晶表示装置においては、様々な色を表示するために、Ｒ、Ｇ、Ｂの３色のカラーフィルター層を１枚の基板上に並置し、これらを透過する光量を液晶層に印加する電圧を制御することにより混色する方法が用いられている（加法混色）。
　【００３８】
　ここで、図８は、反射型液晶表示装置に用いられるカラーフィルターの反射時の特性を示した表であり、図９は、透過型液晶表示装置に用いられるカラーフィルターの透過時の特性を示した表であり、図１０は、透過型液晶表示装置に用いられるカラーフィルターの反射時の特性を示した表である。
　【００３９】
　また、図５は、このときのｘ、ｙの値をプロットした図面（以後、色度図と略す。）である。なお、光源は、全てＤ６５（昼光で照らされている物体の測定用光源：色温度は６７７４ｋ）を用い、透過時は空気を透過した場合のスペクトル、反射時は上記（３）式のρ（λ）に各波長の透過率を二乗した値を代入して求めた計算値である。
　【００４０】
　このとき、透過型液晶表示装置に用いられるカラーフィルターは、Ｒ、Ｇ、Ｂの３色を均等に混色すると、白色（Ｗ）が得られ、約３０％の透過率を有している。しかしながら、このカラーフィルターを反射透過両用型の液晶表示装置にそのまま適用すると、同じ白色表示での反射部の明るさは、約１６％しかなく、非常に暗い表示となってしまう。これは、光がカラーフィルター層を２回通過するためである。
　【００４１】
　一方、反射型専用の液晶表示装置に用いられるカラーフィルターは、この点を考慮し、膜厚もしくは樹脂に分散させる顔料の量を少なくするか、または反射型液晶表示装置用に適した顔料を用いるなどの方法により、約５０％の明るさが得られている。
　【００４２】
　しかしながら、図５からもわかるように、Ｒ、Ｇ、Ｂ各色の（ｘ，ｙ）プロットは白色に近くなっており、色純度は悪くなっている。これは、２回通過した場合に明るさを得ようとすると、顔料での光の吸収を少なくせざるを得ないためである。そして、このカラーフィルターを反射透過両用型の液晶表示装置にそのまま適用すると、透過部での色純度が反射部と比べてさらに低下することはいうまでもない。
　【００４３】
　以上に述べた理由から、反射透過両用型の液晶表示装置において、反射と透過の両方で明るさと色純度の優れた表示を実現するためには、反射部と透過部とでそれぞれに適した特性を有するカラーフィルター層を一つの表示画素内につくる必要が生じるのである。
　【００４４】
　【発明の実施の形態】
　以下、本発明の実施の形態について図面を用いて説明する。
　【００４５】
　図１は、本発明における反射透過両用型の液晶表示装置を示した平面図であり、図２は、図１に示す液晶表示装置のＡ−Ａ’線部分の断面図である。まず、これらの図面を用いて、本発明における反射透過両用型の液晶表示装置の表示モードについて説明する。
　【００４６】
　図１および図２に示すように、下側基板１上には反射電極３と透明電極８とが所定の形状に形成されており、それに対向するカラーフィルター基板２上には、カラーフィルター層１１と透明電極４とがそれぞれ形成されている。
　【００４７】
　この下側基板１およびカラーフィルター基板２上に形成された反射電極３および透明電極８と透明電極４との間には、負の誘電異方性を示す液晶材料を用いた垂直配向液晶層５が挾持されている。
　【００４８】
　そして、反射電極３と透明電極８とを有する下側基板１の外側表面と偏光板９との間には、１／４波長板１０が配置されており、また、透明電極４を有するカラーフィルター基板２の外側表面と偏光板６との間にも、同様に１／４波長板７が配置されている。
　【００４９】
　ここで、上述した反射電極３を有する領域についての説明を行う。
　【００５０】
　まず、偏光板６の表面から入射した光は、偏光板６を通った後直線偏光となる。この直線偏光は、その偏光軸方向と１／４波長板７との遅相軸方向が４５度になるように１／４波長板７に入射すると、１／４波長板７を通過した後には円偏光になり、カラーフィルター層１１を通過する。
　【００５１】
　ここで、下側基板１上およびカラーフィルター基板２上に形成された反射電極３および透明電極８と透明電極４との間の液晶層５に電界が発生していない場合には、負の誘電異方性を示す液晶材料を用いた液晶層５は、液晶分子が基板面に対してほぼ垂直に配向しているため、基板正面からは液晶層５に屈折率異方性は極くわずかであり、入射光が液晶層５を通過することによって生じる位相差は、ほぼ０である。
　【００５２】
　そこで、１／４波長板７を通った後の円偏光は、下側基板１上およびカラーフィルター基板２上に形成された反射電極３および透明電極８と透明電極４との間の液晶層５に電界が発生していない場合には、円偏光を崩さずに液晶層５を通過し、下側基板１上にある反射電極３により反射される。そして、反射された円偏光は、液晶層５をカラーフィルター基板２の方向に進行し、再び１／４波長板７に入射される。
　【００５３】
　その後、１／４波長板７に入射された円偏光は、１／４波長板７を通過した後には、偏光板６表面から入った光が偏光板６を通った後の直線偏光の偏光軸方向と直交する偏光軸方向の直線偏光になって偏光板６に入射される。ここで、偏光板６の透過軸と直行するように１／４波長板７を通った直線偏光は偏光板６に入射するので、偏光板６で吸収され光は偏光板６を通過しない。
　【００５４】
　このように、下側基板１上およびカラーフィルター基板２上に形成された反射電極３および透明電極８と透明電極４との間の液晶層５に電界が発生していない場合には、黒表示となる。
　【００５５】
　さらに、下側基板１上およびカラーフィルター基板２上に形成された反射電極３および透明電極８と透明電極４との間の液晶層５に電圧を印加した場合には、基板表面から垂直方向に配向していた液晶層５の液晶分子は、基板表面に対して水平方向に傾き、液晶層５に入射した円偏光は、液晶層５の複屈折により楕円偏光となり、反射電極３により反射された後、さらに液晶層５で偏光が崩され、１／４波長板７を通った後でも偏光板６の透過軸と直行する直線偏光にはならず、偏光板６を通して光が透過してくる。
　【００５６】
　この時の反射電極３および透明電極８と透明電極４との間の電圧を調整することにより、反射した後に偏光板６を透過できる光量を調整することができ、これにより階調表示することが可能となる。
　【００５７】
　次に、上述した透明電極８を有する領域について説明する。
　【００５８】
　図２に示す偏光板６および偏光板９は、それぞれ透過軸が平行になるように配置されている。まず、光源から出射された光は、偏光板９で直線偏光となり、その直線偏光がその偏光軸方向と１／４波長板１０との遅相軸方向が４５度になるように１／４波長板１０に入射すると、１／４波長板１０を通過した後には円偏光になる。
　【００５９】
　このとき、下側基板１上およびカラーフィルター基板２上に形成された反射電極３および透明電極８と透明電極４との間の液晶層５に電界が発生していない場合には、負の誘電異方性を示す液晶材料を用いた液晶層５は、液晶分子が基板面に対してほぼ垂直に配向している。そのため、基板正面からは液晶層５に屈折率異方性は極くわずかであり、入射光が液晶層５を通過することによって生じる位相差は、ほぼ０である。
　【００６０】
　そこで、１／４波長板１０を通った後の円偏光は、下側基板１上およびカラーフィルター基板２上に形成された反射電極３および透明電極８と透明電極４との間の液晶層５に電界が発生していない場合には、円偏光を崩さずに液晶層５を通過して１／４波長板７に入射する。このとき、１／４波長板１０の遅相軸方向と１／４波長板７の遅相軸方向を揃えることにより、１／４波長板７に入射した円偏光は、偏光板６の透過軸方向と直交する偏光軸方向の直線偏光となり、偏光板６に入射される。なお、この偏光板６および偏光板９は、それぞれ透過軸が平行になるように配置されているため、偏光板６に入射した直線偏光は偏光板６で吸収される。
　【００６１】
　このように、下側基板１上およびカラーフィルター基板２上に形成された反射電極３および透明電極８と透明電極４との間の液晶層５に電界が発生していない場合には、黒表示となる。
　【００６２】
　さらに、下側基板１上およびカラーフィルター基板２上に形成された反射電極３および透明電極８と透明電極４との間の液晶層５に電圧を印加した場合には、基板表面から垂直方向に配向していた液晶層５の液晶分子は、基板表面に対して水平方向に傾き、液晶層５に入射した円偏光は、液晶層５の複屈折により楕円偏光になり、１／４波長板７を通った後でも偏光板６の透過軸と直行する直線偏光にはならず、偏光板６を通して光が透過してくる。
　【００６３】
　この時の反射電極３および透明電極８と透明電極４との間の電圧を調整することにより、偏光板６を透過できる光量を調整することができ、これにより階調表示することが可能となる。
　【００６４】
　ここで、液晶層５の位相差が１／２波長条件になるように、下側基板１上およびカラーフィルター基板２上に形成された反射電極３および透明電極８と透明電極４との間の液晶層５に電圧を印加した場合には、２枚の１／４波長板７、１０と液晶層５とを合わせた合計の位相差が１波長条件となるため、偏光板６に到達するときには、偏光板６の透過軸と平行な直線偏光となり、偏光板６を透過する光は最大になる。
　【００６５】
　以上述べてきたように、液晶が負の誘電異方性を有する場合には、電圧無印加状態で黒表示になり、電圧印加状態で白表示になる、いわゆるノーマリーブラックモードの表示となる。
　【００６６】
　本発明は、これまでの反射型液晶表示装置で用いられてきた方法、すなわち、透過率は高くて明るいものの色純度が低いカラーフィルターで混色する方法に替わって、カラーフィルター基板２上の反射部３に対応する領域に、色純度の高い透過型用のカラーフィルター層１１が形成された領域とカラーフィルター層１１が形成されていない領域（Ｂ）とを設けていることにより、このカラーフィルター層１１が形成されていない領域（Ｂ）で白を表示させ、色純度の高いカラーフィルター層１１と混色することで、反射型に必要な明るい表示を実現するというものである。
　【００６７】
　次に、図１を用いて下側基板１上の反射電極３および透明電極８とカラーフィルター基板２上のカラーフィルター層１１との位置関係について説明する。なお、この図１ではカラーフィルター基板２側の透明電極４や液晶層５および遮光層についての記載は省略した。
　【００６８】
　図１に示すように、カラーフィルター層１１Ａ、１１Ｂ、１１Ｃは、それぞれＲ、Ｇ、Ｂのカラーフィルター層を示しており、反射電極３の全部分にはオーバーラップしないように、また透過電極８の全部分には必ずオーバーラップするようにストライプ状に形成されている。
　【００６９】
　なお、カラーフィルター基板２上の反射電極３に対応する領域のうち、カラーフィルター層１１が形成されていない領域Ｂの面積比（以下、Ｓｒと略す。）を変えることにより、色純度と明るさとを自由に設定することが可能となる。
　【００７０】
　ここで、図１０の表に示したようなカラーフィルターを用いた場合のＳｒと反射部分の明るさとの関係を図６に示す。また、このときの色度座標の変化を図７に示す。
　【００７１】
　図に示すように、Ｓｒの値が大きくなるのに比例して明るさは増加するものの色純度は低下する。例えば２７％程度の明るさにするためには、図１１に示すように、Ｓｒの値を０．１２５前後に設定すれば良い。この点に関しては、液晶表示装置の使用目的に合わせた設計が必要である。
　【００７２】
　なお、ノーマリーブラックの表示モードの場合には、電圧無印加時における液晶層５の複屈折率がほぼ０であるため、良好な黒レベルを得ることができるという利点も有している。また、平行配向もしくはツイスト配向の液晶を用いた場合には電圧印加時に黒表示となるが、配向膜近傍の液晶分子は電圧印加しても基板に対して垂直にはならないため、液晶層５での複屈折率は０にはならず、充分なコントラストを得ることはできない。また、液晶層５をアクティブ素子により駆動するような場合には、点欠陥の修正が不要となるため製造コストの点で非常に有利となる。
　【００７３】
　さらに、生産時に液晶表示装置のセル厚がばらついた場合においても黒レベルがセル厚に依存することがないため、製造マージンが大きくなるという利点も有しているとともに、反射表示時と透過表示時とで液晶層のしきい電圧が等しいため駆動も容易となっている。
　【００７４】
　また、本発明では、液晶分子が基板に対して垂直に配向している垂直配向の表示モードを用いているが、この表示モードでは偏光板と基板との間に光学補償板を設置することにより、視野角を拡大することができるということが知られているが、本発明においても、このような光学補償板を用いることにより同様の効果を得ることが可能である。
　【００７５】
　（実施の形態１）
　次に、本実施の形態１における液晶表示装置について図面を用いて説明する。図１は、本実施の形態１における反射透過両用型の液晶表示装置を示した平面図であり、図２は、図１に示す液晶表示装置のＡ−Ａ’線部分の断面図である。
　【００７６】
なお、この図１の平面図では、画素電極３、８とカラーフィルター層１１との位置関係を判り易くするため、カラーフィルター基板２側の透明電極４や液晶層５および遮光層や配向層についての記載は省略した。
　【００７７】
　図１に示すように、下側基板１上には縦方向に形成された信号電極２１と横方向に形成された走査電極２２、並びにこれらの電極の交差部近傍には薄膜トランジスタ（ＴＦＴ）２３と画素電極３、８とが形成されている。この液晶層５に電圧を印加するための画素電極３、８は２種類の材料からなり、３はＡｌＷ合金を用いた反射電極とし、８はＩＴＯを用いた透明電極とした。
　【００７８】
　また、図中の１１Ａ、１１Ｂ、１１Ｃは、それぞれＲ、Ｇ、Ｂのカラーフィルター層であり、透明電極８の領域とは全領域にオーバーラップしているが、反射電極３の領域に対しては反射電極３の全面積に対して８７．５％の割合でオーバーラップするようにストライプ状で形成した（図１１参照、Ｓｒ＝０．１２５）。なお、斜線部Ｂは、反射電極３の領域においてカラーフィルター層１１を形成していない領域を示している。
　【００７９】
　次に、図２に示す断面図において、１は下側基板（ＴＦＴ基板）であり、２はカラーフィルター基板である。これら２枚の基板１、２それぞれの表面に、垂直配向膜を塗布焼成後、カラーフィルター基板２の表面にラビングによる配向処理を施した。そして、図示していない３．５μｍのシリカスペーサーとエポキシ樹脂とを介してこれら２枚の基板を貼り合わせ、エポキシ樹脂を熱処理により硬化させた。
　【００８０】
　このようにして作製された２枚の基板１、２の間隙に、負の誘電異方性を示す液晶を注入して液晶層５を形成した。このときに用いた液晶のΔｎは、０．０７７３であった。また、ラビング条件は液晶分子の長軸方向がカラーフィルター基板２の法線方向からおよそ１°傾くように設定した。
　【００８１】
　そして、液晶を注入後、カラーフィルター基板２の外側表面に１／４波長板７と偏光板６とを貼り付け、同様に、下側基板１の外側表面にも１／４波長板１０と偏光板９とを貼り付けた。このとき、１／４波長板７、１０の遅相軸が、ラビング方向に対して４５°となるように設定し、かつ、互いの遅相軸が平行になるように各基板１、２に貼り付けた。さらに、偏光板６、９については透過軸がラビング方向と一致するように設定した。
　【００８２】
　このようにして作製した液晶表示装置は、反射表示時のコントラストが１５以上であり、明状態（液晶層５への印加電圧３．２５Ｖ時）の反射率を分光測色計（ミノルタ社製ＣＭ２００２）により測定したところ、標準拡散板をレファレンスとして約９％（開口率１００％換算値）であった。これは、先に計算により求めた反射部分の明るさ２７％に、偏光板６の透過率と透明電極４の透過率と反射電極３の反射率とから求まる値３４％を掛け合わせた値とほぼ同等である。
　【００８３】
　また、白色の色度も（ｘ、ｙ）＝（０．３１、０．３２）と良好であった。そして、透過表示時のコントラストは１００以上あり、明状態（液晶層５への印加電圧５Ｖ時）での透過率は空気をレファレンスとした値で約１２％（開口率１００％換算値）であった。
　【００８４】
　以上の表示特性は、偏光板６、９に表面反射を低減するＡＲコーティングなどの表面処理を行なっていない状態での結果であり、このような表面処理を施すことにより、反射表示時のコントラストをさらに大幅に向上させることが可能である。
　【００８５】
　また、このときカラーフィルター基板２側の偏光板６の表面に、前方散乱板を設置してもよい。なお、この散乱板は、入射した光を進行方向（前方）にのみ散乱し、それとは逆の方向（後方）には散乱しないというような性質を持ったものである。このとき、カラーフィルター基板２の上方から入射した光は、前方散乱板を散乱しながら透過し、反射電極３で反射後、再びこの散乱板により散乱されることになる。反射電極３は鏡面であるため、入射した光は一方向にしか反射せず観察範囲が限られるが、このような散乱板を用いることにより、写り込みがなく観察範囲を広げ、ペーパーホワイト表示することが可能となる。
　【００８６】
　なお、反射電極３と対向する領域におけるカラーフィルター層１１が形成されていない領域の面積比（Ｓｒ）や配置などについても、本実施の形態１に限定されるもではない。このとき、色純度より明るさを重視する場合には、Ｓｒの値をより大きくすればよい。また、カラーフィルター層１１については、ストライプ状でなくてもよく、例えば島状としても本実施の形態１と同様な効果を得ることが可能である。
　【００８７】
　（実施の形態２）
　次に、本実施の形態２における液晶表示装置について図面を用いて説明する。図３は、本実施の形態２における反射透過両用型の液晶表示装置を示した平面図であり、図４は、図２に示す液晶表示装置のＡ−Ａ’線部分の断面図である。
　【００８８】
なお、この図３の平面図では、画素電極３、８とカラーフィルター層１１との位置関係を判り易くするため、カラーフィルター基板２側の透明電極４や液晶層５および遮光層や配向層についての記載は省略した。
　【００８９】
　図３および図４に示すように、本発明の実施の形態１と異なる構成は、反射電極３を凹凸の形状をした樹脂１２上に形成したことである。そして、反射電極３にＡｌを用いたこと以外は、透明電極８の材料など実施の形態１と同じであり、製造プロセスについても同じである。
　【００９０】
　本実施の形態２では、凹凸の形状をした樹脂１２は、透明で感光性を有するアクリル樹脂を円形にパターニングした後、その樹脂のガラス転移点以上の温度に加熱し溶融させることにより形成した。また、凹凸の形状をした樹脂１２上に形成している絶縁膜１３は、凹凸の形状をした樹脂１２と同じ樹脂材料を用いており、凹凸の形状をした樹脂１２の凹凸の間を埋めて鏡面反射成分をなくす役割と、反射電極３であるＡｌ（アルミ）と透明電極８との電食を防ぐ役割とを兼ねている。
　【００９１】
　このような本実施の形態２においては、反射電極３の反射光が適度に散乱するため、前方散乱板を用いなくても写り込みがなく観察範囲を広げ、ペーパーホワイト表示することが可能であるという利点を有している。なお、コントラスト、明るさ、色度などについては、本発明の実施の形態１と同様の特性が得られた。
　【００９２】
　（実施の形態３）
　次に、カラーフィルター基板２上の反射電極３に対応する領域のうち、カラーフィルター層１１が形成されていない領域Ｂの面積比Ｓｒについての具体的な例について説明する。
　【００９３】
　図１２に示すように、本実施の形態３における液晶表示装置は、上述したＳｒの値を、Ｒ、Ｇ、Ｂのカラーフィルター層ともに０．２に設定し、それ以外は上述した実施の形態１、２と同様の製造プロセスにて作製した。
　【００９４】
　このようにして作製した本実施の形態３における液晶表示装置は、反射表示時のコントラストが１５以上であり、液晶層５への印加電圧を３．２５Ｖとしたときの反射率は、約１１％（開口率１００％換算値、標準拡散板比）であった。
　【００９５】
　これは、先の計算により求めた反射部におけるカラーフィルター層の明るさ３３％に偏光板６と透明電極５の透過率３４％を掛け合わせた値とほぼ同等のものである。
　【００９６】
　また、このときの各色における色度は、ず５および図１２に示すような値が得られ、反射型液晶表示装置と同等の色再現範囲が可能な反射表示を実現することが可能となる。
　【００９７】
　（実施の形態４）
　次に、カラーフィルター基板２上の反射電極３に対応する領域のうち、カラーフィルター層１１が形成されていない領域Ｂの面積比Ｓｒについての具体的な別の例について説明する。
　【００９８】
　図１３に示すように、本実施の形態４における液晶表示装置は、上述したＳｒの値を、Ｒのカラーフィルター層では０．３８、Ｇのカラーフィルター層では０．５、Ｂのカラーフィルター層では０．２にそれぞれ設定し、それ以外は、上述した実施の形態１、２と同様の製造プロセスにて作製した。
　【００９９】
　これは、図８に示す反射型カラーフィルターと同等の明るさを得るためには、Ｓｒの値を０．４としなければならないが、そうするとＢのカラーフィルター層を通過する光が光源の色である白色と判別できなくなってしまうからである。
　【０１００】
　したがって、本実施の形態４における液晶表示装置では、Ｂのカラーフィルター層におけるＳｒの値を小さくする一方で、Ｇのカラーフィルター層におけるＳｒの値を大きくすることにより、明るさを稼いでいる。なお、このことにより、白の色度が若干青よりにシフトするが、これは白として充分に認識できる範囲のものとなっている。
　【０１０１】
　このようにして作製した本実施の形態４における液晶表示装置は、反射表示時のコントラストが１５以上であり、液晶層５への印加電圧を３．２５Ｖとしたときの反射率は、約１６％（開口率１００％換算値、標準拡散板比）であった。
　【０１０２】
　これは、先の計算により求めた反射部におけるカラーフィルター層の明るさ４６％に偏光板６と透明電極５の透過率３４％を掛け合わせた値とほぼ同等のものである。
　【０１０３】
　また、このときの各色における色度は、図５および図１３に示すような値が得られ、色再現範囲は狭くなってしまうものの反射型液晶表示装置とほぼ同等の明るい反射表示を実現することが可能となる。
　【０１０４】
　以上、説明したような液晶表示装置の反射特性は、偏光板に表面反射を低減させるＡＲコーティングなどの表面処理を行っていない状態でのものであるが、このような表面処理を施すことにより、反射表示時のコントラストをさらに大幅に向上させることが可能である。なお、このカラーフィルター層については、ストライプ状でなくてもよく、例えば島状としても本実施の形態と同様な効果を得ることが可能である。
　【０１０５】
　（実施の形態５）
　次に、本実施の形態５における液晶表示装置について図面を用いて説明する。図１４（ａ）は、上述した実施の形態１における反射透過両用型の液晶表示装置を示した断面図であり、図１４（ｂ）（ｃ）は、本実施の形態５における反射透過両用型の液晶表示装置を示した断面図である。また、図１５は、図１４（ａ）に示す液晶表示装置の電気光学特性を示した図面である。
　【０１０６】
　図１４（ａ）〜（ｃ）に示すように、本発明の実施の形態１と異なる構成は、カラーフィルター基板上の少なくともカラーフィルター層が形成されていない領域に、光透過性の平坦化膜を形成したことである。そして、この光透過性の平坦化膜を形成したこと以外は、本発明の実施の形態１と同じ構成であり、製造プロセスについても同じである。
　【０１０７】
　なお、上述した図１４（ａ）〜（ｃ）は、本実施の形態５における液晶表示装置の特徴を判り易くするため、構成の一部を省略するとともに、各層の縮尺についても実際とは異なるものにしている。
　【０１０８】
　まず、図１４（ａ）を用いて、本発明の実施の形態１における液晶表示装置について簡単に説明する。本発明の実施の形態１における液晶表示装置は、図１４（ａ）に示すように、下側基板１上に反射電極３が所定の形状に形成されており、それに対向するカラーフィルター基板２上にはカラーフィルター層１１と対向電極４とがそれぞれ形成されている。そして、この下側基板１およびカラーフィルター基板２上に形成された反射電極３と対向電極４との間には、液晶層５が挟持されている。
　【０１０９】
　このような液晶表示装置におけるカラーフィルタ基板２上には、様々な色を表示するために、赤（１１Ａ）、緑（１１Ｂ）、青（１１Ｃ）の３色のカラーフィルター層１１と、このカラーフィルター層１１が形成されていない領域１５とが設けられており、このようなカラーフィルター層１１が形成されていない領域１５を設けた構成とすることにより、カラーフィルター層１１が形成されていない領域１５と色純度の高いカラーフィルター層１１とを混色することで、反射透過両用型の液晶表示装置の反射領域において必要な明るい表示を実現することが可能となっている。
　【０１１０】
　しかしながら、ここで、図１４（ａ）に示すように、カラーフィルター層１１が形成されている液晶層５の層厚をｄＴ１で表し、カラーフィルター層１１が形成されていない領域１２の液晶層５の層厚をｄＴ２で表すと、本発明の実施の形態１における液晶表示装置は、ｄＴ１が３．０μｍ、ｄＴ２が４．２μｍとなり、このときの電気光学特性は、図１５（ａ）（ｂ）に示すように、液晶層５の層厚の違いにより、一致しないでずれた状態となってしまう。このような本発明の実施の形態１における液晶表示装置の電気光学特性について、図１５（ａ）（ｂ）を用いてさらに説明する。
　【０１１１】
　まず、図１５（ａ）に示す電気光学特性は、ノーマリホワイトモードであり、６Ｖ位の高い電圧をかけた場合には、液晶分子がほとんど基板に垂直に配向するため、液晶層の層厚にあまり依存することなく、それぞれの領域において黒表示を行うことが可能となっている。しかしながら、通常は駆動ドライバの耐圧性のために、せいぜい４〜５Ｖで駆動するの一般的であり、この条件により駆動を行うと、黒表示が浮いた状態になり、より高いコントラストを実現することは難しいと考えられる。
　【０１１２】
　また、図１５（ｂ）に示す電気光学特性は、ノーマリブラックモードであり、初期状態では、液晶分子がほとんど基板に垂直に配向するため、液晶層の層厚にあまり依存することなく、それぞれの領域において黒表示を行うことが可能となっている。よって、ノーマリホワイトモードの場合と比較して高コントラストを得ることができるものの、ノーマリホワイトモードの場合と同様に、明状態（４Ｖ付近）での特性変化が大きいうえ、階調領域での特性変化も大きくなる。
　【０１１３】
　そこで、本実施の形態５では、図１４（ｂ）、図１４（ｃ）に示すように、少なくともカラーフィルター層１１が形成されていない領域１５に、平坦化膜１６または１７を形成することによって、ｄＴ１とｄＴ２とで表される液晶層５の層厚が等しくなるような構成とした。
　【０１１４】
　なお、この図１４（ｂ）、図１４（ｃ）では、ｄＴ１とｄＴ２とで表される液晶層５の層厚を等しくなるように図示して説明しているが、平坦化膜１６により、ｄＴ１とｄＴ２との差を小さくできればｄＴ１とｄＴ２とを等しくしなくても表示特性を改善することが可能である。
　【０１１５】
　本実施の形態５では、このような構成とすることにより、カラーフィルター層１１が形成されている液晶層５の層厚とカラーフィルター層１１が形成されていない領域１５の液晶層５の層厚とのそれぞれの領域におけるリタデーションを等しくして電気光学特性を一致させている。その結果、暗状態、階調領域、明状態にわたって、均一な表示を可能としており、より高いコントラストを実現することが可能となっている。
　【０１１６】
　ここで、本実施の形態５では、平坦化膜１６または１７として、カラーフィルター層１１の基材となるアクリル系の感光樹脂を使用したが、光透過性を有し密着性や耐プロセス性が同様のものであれば、それに限定されるものではない。ただし、この平坦化膜として無着色のものが好ましい。また、具体的には、上述したような感光樹脂であればパターニングが容易であり、また、ＳｉＯ２などを溶剤に溶かしてスピンコートや印刷塗布した後、焼成することにより平坦化膜を形成することも可能である。
　【０１１７】
　なお、図１４（ｂ）に示す構成では、平坦化膜１６を、フォトリソ工程によりパターニングすることで、カラーフィルター層１１が形成されていない領域１２のみに形成しているため、液晶層５に接する面の平坦性をより良好にすることが可能となっている。
　【０１１８】
　また、図１４（ｃ）に示す構成では、平坦化膜１７を、カラーフィルタ基板全体にオーバーコートするように形成しているため、フォトリソ工程によるパターニングが不要となり製造工程を簡単化することが可能となっている。
　【０１１９】
　（実施の形態６）
　次に、本実施の形態６における液晶表示装置について図面を用いて説明する。図１６（ａ）は、上述した実施の形態１における反射透過両用型の液晶表示装置を示した断面図であり、図１６（ｂ）（ｃ）は、本実施の形態６における反射透過両用型の液晶表示装置を示した断面図である。
　【０１２０】
　図１６（ａ）〜（ｃ）に示すように、本発明の実施の形態１と異なる構成は、カラーフィルター基板２上の、スイッチング素子と画素電極３とを接続するコンタクトホール２６に対応する領域に、カラーフィルター層１１を形成していることである。そして、このカラーフィルター基板２上のコンタクトホール２６に対応する領域にカラーフィルター層１１を形成したこと以外は、本発明の実施の形態１と同じ構成であり、製造プロセスについても同じである。
　【０１２１】
　まず、図１６（ａ）を用いて、本発明の実施の形態１における液晶表示装置について簡単に説明する。本発明の実施の形態１における液晶表示装置は、図１６（ａ）に示すように、下側基板１上に反射電極３および透明電極８が所定の形状に形成されており、それに対向するカラーフィルター基板２上には反射電極３に対応する一部の領域を除いてカラーフィルター層１１が形成されている。そして、この下側基板１およびカラーフィルター基板２上に形成された反射電極３および透明電極８と対向電極４との間には、液晶層５が挟持されている。
　【０１２２】
　このような液晶表示装置における下側基板１上には、反射電極３と透明電極８とからなる画素電極がコンタクトホール２６を介してスイッチング素子である薄膜トランジスタ２３のドレイン電極２５と接続されており、また、対向するカラーフィルタ基板２上の画素電極に対応する領域には、カラーフィルター層１１と、このカラーフィルター層１１が形成されていない領域とが設けられ、このようなカラーフィルター層１１が形成されていない領域を設けた構成とすることにより、カラーフィルター層１１が形成されていない領域と色純度の高いカラーフィルター層１１が形成された領域とを混色することで、反射透過両用型の液晶表示装置の反射領域において必要な明るい表示を実現することが可能となっている。
　【０１２３】
　しかしながら、ここで、図１６（ａ）に示すように、本発明の実施の形態１における液晶表示装置では、下側基板１上のコンタクトホール２６の形成領域において、層間絶縁膜１３の膜厚だけ液晶層５の層厚が厚くなってしまい、そのため、カラーフィルター層１１が形成されていない反射領域において黒表示を行った場合に光漏れが発生してしまい、コントラストが低下してしまうということが考えられる。
　【０１２４】
　そこで、本実施の形態６では、図１６（ｂ）、図１６（ｃ）に示すように、カラーフィルター基板２上のカラーフィルター層１１が形成されていない領域のうちのコンタクトホール２６に対応する領域にカラーフィルター層１１を形成して、リタデーションの違いによる電気光学特性の不一致に起因する反射領域内における光漏れの発生を目立たなくするような構成とした。
　【０１２５】
　本実施の形態６では、このような構成とすることにより、コンタクトホール２６の領域周辺で生じる表示不良をなくすことが可能となっており、暗状態、階調領域、明状態にわたって、均一な表示を可能にするとともに、より高いコントラストを実現することが可能となっている。
　【０１２６】
　ここで、本実施の形態６では、図１６（ｂ）、図１６（ｃ）に示すように、コンタクトホール２６に対応する領域にカラーフィルター層１１を形成した場合について説明しているが、光漏れの発生を目立たなくして表示装置としての表示不良を無くすことが可能であれば、カラーフィルター層１１に限定されるものではなく、例えばブラックマスクなどの遮光層を使用することも可能である。ただし、遮光層としてのブラックマスクなどを使用する場合には、カラーフィルター層１１を使用する場合と比較して高価になってしまうともに、位置合わせマージンを考慮してブラックマスクを大きめに形成する必要があることから表示に寄与する開口率が小さくなってしまうということなどが考えられる。
　【０１２７】
　このような点を考慮して、本実施の形態６では、カラーフィルター基板２上のコンタクトホール２６に対応する領域にカラーフィルター層１１を形成しており、これにより新たな生産プロセスが不要となり製造工程を簡単化することが可能となっている。
　【０１２８】
　なお、図１６（ｂ）は、カラーフィルター層１１をコンタクトホール２６に対応する領域にまで延長して形成した構成を示したものであり、また、図１６（ｃ）は、カラーフィルター層１１をコンタクトホール２６に対応する領域にパターニングした構成を示したものである。
　【０１２９】
　【発明の効果】
　上述したように、本発明の液晶表示装置によれば、他方側の基板上の反射部に対応する領域に、カラーフィルター層が形成されていない領域を設けていることにより、透過型専用の液晶表示装置に用いられるカラーフィルターと比較して製造プロセスを増加させることがなく、白を表示させて明るさを向上させることができるとともに、色純度の高いカラーフィルター層を通過した出射光とカラーフィルター層が形成されていない領域を通過した出射光とを混色することにより、反射型表示に必要な明るいカラー表示を実現することができる反射透過両用型の液晶表示装置を実現することが可能となっている。
　【０１３０】
　また、このときのカラーフィルター層が形成されていない領域に、光透過性の平坦化膜を形成することにより、反射部におけるカラーフィルター層が形成された領域とカラーフィルター層が形成されていない領域との液晶層の層厚を等しくして、リタデーションを等しくすることができるため、暗状態から明状態に至るまで均一な表示を実現することが可能となっている。
　【０１３１】
　さらに、画素電極とスイッチング素子とを接続するコンタクトホールに対応する他方側の基板上の領域にカラーフィルター層を形成していることにより、リタデーションの違いによる電気光学特性の不一致に起因する反射領域内における光漏れの発生を目立たなくすることが可能となっている。
　【０１３２】
　このような反射透過両用型の液晶表示装置を実現することにより、これまでの液晶表示装置が抱えていた各諸問題を、カラーフィルターのコストを増大させることなく、容易に実現することが可能となっている。
　【０１３３】
　つまり、本発明の反射透過両用型の液晶表示装置によれば、バックライトを用いて表示を行うことができるために、周囲の明るさにさほど影響されることなく、明るくて高コントラストを有する表示を行うことが可能となっており、また、バックライトを消して表示を行うこともできるため、消費電力を極めて小さくすることも可能となっている。
　【０１３４】
　従って、周囲の明るさなどの使用条件を考慮して、適宜バックライトの光量を調整して表示を行うことも可能であり、このことにより、従来の透過型の液晶表示装置の場合に問題となっていた消費電力の増大を防止することが可能であるとともに、従来の反射型の液晶表示装置の場合に問題となっていた周囲の明るさなどの使用環境による表示のばらつきを解消することも可能となっている。
　【０１３５】
　そのため、本発明の反射透過両用型の液晶表示装置は、従来の透過型の液晶表示装置および反射型の液晶表示装置が抱えていた各諸問題を一挙に解決することが可能となった。
【図面の簡単な説明】
　【図１】
　図１は、本実施の形態１における反射透過両用型の液晶表示装置を示した平面図である。
　【図２】
　図２は、本実施の形態１における反射透過両用型の液晶表示装置を示した断面図である。
　【図３】
　図３は、本実施の形態２における反射透過両用型の液晶表示装置を示した平面図である。
　【図４】
　図４は、本実施の形態２における反射透過両用型の液晶表示装置を示した断面図である。
　【図５】
　図５は、反射透過両用型の液晶表示装置と、透過型の液晶表示装置と、反射型の液晶表示装置とにおけるカラーフィルター層のｘ、ｙの値をプロットした図面（色度図）である。
　【図６】
　図６は、反射部に対応する領域におけるカラーフィルター層が形成されていない領域の面積比と反射部分の明るさとの関係を示した図面である。
　【図７】
　図７は、反射部に対応する領域におけるカラーフィルター層が形成されていない領域の面積比と反射部分の色度座標に変化の関係を示した図面である。
　【図８】
　図８は、反射型液晶表示装置に用いられるカラーフィルターの反射時の特性を示した表である。
　【図９】
　図９は、透過型液晶表示装置に用いられるカラーフィルターの透過時の特性を示した表である。
　【図１０】
　図１０は、透過型液晶表示装置に用いられるカラーフィルターの反射時の特性を示した表である。
　【図１１】
　図１１は、本実施の形態１における反射透過両用型の液晶表示装置のカラーフィルター基板上の反射電極に対応する領域のうち、カラーフィルター層が形成されていない領域の面積比Ｓｒを示した表である。
　【図１２】
　図１２は、本実施の形態３における反射透過両用型の液晶表示装置のカラーフィルター基板上の反射電極に対応する領域のうち、カラーフィルター層が形成されていない領域の面積比Ｓｒを示した表である。
　【図１３】
　図１３は、本実施の形態４における反射透過両用型の液晶表示装置のカラーフィルター基板上の反射電極に対応する領域のうち、カラーフィルター層が形成されていない領域の面積比Ｓｒを示した表である。
　【図１４】
　図１４（ａ）は、本実施の形態１における反射透過両用型の液晶表示装置を示した断面図であり、図１４（ｂ）（ｃ）は、本実施の形態５における反射透過両用型の液晶表示装置を示した断面図である。
　【図１５】
　図１５（ａ）（ｂ）は、図１４（ａ）に示す反射透過両用型の液晶表示装置の電気光学特性を示した図面である。
　【図１６】
　図１６（ａ）は、本実施の形態１における反射透過両用型の液晶表示装置を示した断面図であり、図１６（ｂ）（ｃ）は、本実施の形態６における反射透過両用型の液晶表示装置を示した断面図である。
　【図１７】
　図１７は、従来の液晶表示装置におけるカラーフィルターの配置を示した平面図である。
　【符号の説明】
　　１　　下側基板
　　２　　カラーフィルター基板
　　３　　反射電極
　　４　　対向電極
　　５　　液晶層
　　６　　偏光板
　　７　　１／４波長板
　　８　　透明電極
　　９　　偏光板
　１０　　１／４波長板
　１１　　カラーフィルター層
　１２　　凹凸の形状をした樹脂
　１３　　絶縁膜
　１５　　カラーフィルター層未形成領域
　１６　　平坦化膜
　１７　　平坦化膜
　２１　　信号電極
　２２　　走査電極
　２３　　薄膜トランジスタ
　２４　　従来のカラーフィルター層
　２５　　ドレイン電極
　２６　　コンタクトホール